(57)【要約】【課題】ポータブルフォトプリンタにおいて、ハンドルを回動させる際に発生する不快な打撃音を抑制し、かつ操作性を高める。【解決手段】ハンドル５１が完全に起された状態では、第１係合凸部５１ｃは、係合溝５２ｅと係合され、ハンドル５１はロックされている。この状態からハンドル５１を矢印Ｘ方向に回動させると、第１係合凸部５１ｃと係合溝５２ｅとの係合は解除され、ハンドル５１はフリーの状態となる。さらに、ハンドル５１を矢印Ｘ方向に回動させると、ハンドル５１を倒しきる直前に、第２係合凸部５１ｄと第２回動規制部５２ｄとが当接され、ハンドル５１の回動が規制される。これにより、ハンドル５１の回転速度が低減されて、不快な打撃音が抑制され、かつ操作性が高められる。その後さらに、ハンドル５１を矢印Ｘ方向に回動させると、第２係合凸部５１ｄと係合溝５２ｅとが係合され、ハンドル５１はロックされる。【選択図】図４
2007313685.tif 000002
【特許請求の範囲】
【請求項１】
装填された記録紙を保持する給紙トレイと、この給紙トレイに保持された記録紙を装置内部に搬送する第１搬送手段と、この第１搬送手段によって搬送された記録紙に画像を形成する画像形成手段と、この画像形成手段によって画像が形成された記録紙を装置外部に搬送する第２搬送手段と、上記各部を支持すると共に外装する筐体と、この筐体に対して回動自在に結合されたハンドルを備え、
前記画像形成手段は、インクが充填されたインクカートリッジと、このインクカートリッジが装着され、記録紙の搬送方向に対して直交する方向に往復移動するキャリアと、このキャリアを駆動するキャリア駆動手段とを有し、前記ハンドルを把持することにより、持ち運び可能なポータブルフォトプリンタにおいて、
前記ハンドルは、該ハンドルの根元部に配設されたハンドル結合部材を介して前記筐体に結合され、
前記ハンドル結合部材は、前記ハンドルを回動自在に軸支する支持軸と、ねじを介して前記筐体に結合される筐体結合部と、前記支持軸の周辺において前記ハンドルを起しきる直前に該ハンドルと当接し、前記支持軸の径方向に弾性変形されながら該ハンドルの回動を規制する第１回動規制部と、前記支持軸の周辺において前記ハンドルを倒しきる直前に該ハンドルと当接し、前記支持軸の径方向に弾性変形されながら該ハンドルの回動を規制する第２回動規制部と、前記第１回動規制部と第２回動規制部との間に形成された係合溝とを有し、
前記ハンドルは、前記ハンドル結合部材の支持軸が挿通される挿通孔が形成されている根元部と、この根元部の外周縁に設けられ、該ハンドルを起しきる直前に前記第１回動規制部と当接され、該ハンドルを完全に起した状態で前記係合溝と係合される第１係合凸部と、この根元部の外周縁に設けられ、該ハンドルを倒しきる直前に前記第２回動規制部と当接され、該ハンドルを完全に倒した状態で前記係合溝と係合される第２係合凸部とを有し、
前記係合溝と第１係合凸部との係合により、持ち運びの際に前記ハンドルを完全に起した状態でロックすると共に、前記係合溝と第２係合凸部との係合により、前記ハンドルを前記筐体に収納した状態でロックすることを特徴とするポータブルフォトプリンタ。
【請求項２】
持ち運び可能なポータブル電子機器のハンドルを所定の角度でロックするハンドルロック構造において、
前記ハンドルは、その根元部に配設されたハンドル結合部材を介してポータブル電子機器の筐体に結合され、
前記ハンドル結合部材は、前記ハンドルを回動自在に軸支する支持軸と、前記支持軸の周辺において該ハンドルと当接し、弾性変形されながら該ハンドルの回動を規制する回動規制部と、この回動規制部に形成された係合溝とを有し、
前記ハンドルは、前記ハンドル結合部材の係合溝と係合する係合凸部を有することを特徴とするハンドルロック構造。
【請求項３】
前記ハンドルは、該ハンドルを完全に起した状態で前記係合溝と係合される第１係合凸部と、該ハンドルを完全に倒した状態で前記係合溝と係合される第２係合凸部とを有していることを特徴とする請求項２に記載のハンドルロック構造。
【発明の詳細な説明】
【技術分野】
【０００１】
本発明は、筐体に結合された手提げ用のハンドルを把持することにより持ち運びが可能なポータブルフォトプリンタ及びポータブル電子機器に用いられるハンドルロック構造に関するものである。
【背景技術】
【０００２】
近年、デジタルカメラによって撮像した画像をパーソナルコンピュータを介さずにダイレクトにプリントする軽量でコンパクトなフォトプリンタが人気を博している。このようなフォトプリンタは、通常、持ち運びを容易にするために、手提げ用のハンドルが装備されている。
【０００３】
ところで、フォトプリンタに限らずポータブル電子機器の分野においては、持ち運びの際に把持するハンドルを所定の角度でロックするための構造が種々検討されている。例えば、特許文献１においては、筐体に一体的に形成された係合凸部と、ハンドルに形成された係合凹部との係合により、ハンドルをロックするハンドル構造が示されている。また、特許文献２には、回転可能に設けられたロックピンと、ハンドルに形成された係合凹部との係合により、ハンドルをロックするハンドル構造が示されている。また、特許文献３には、支軸部材、ロック解除部材、コイルばね、回動規制部材等により、ハンドルをロックするハンドル構造が示されている。また、特許文献４には、ハンドルの両端に亘って延出されたシャフト、回転ガイド、ねじ、ピン等により、ハンドルをロックするハンドル構造が示されている。また、特許文献５には、ハンドルの軸部を軸支する軸受け部をフランジ状に形成し、ハンドルの破損を防止するようにしたハンドル構造が示されている。
【特許文献１】実開平２−１４０８８２号公報
【特許文献２】特開２００３−３１８５５５号公報
【特許文献３】特開２００５−２５２１３３号公報
【特許文献４】実開平４−３２５６７号公報
【特許文献５】特開２００５−２１９２３７号公報
【発明の開示】
【発明が解決しようとする課題】
【０００４】
しかしながら、上記特許文献１及び特許文献２に示されたハンドル構造においては、ハンドルを起しきる直前、又は倒しきる直前にハンドルの回動を規制できないので、ハンドルを引き出したり収容したりする際に、不快な打撃音が発生するだけでなく操作性がよくない。また、ハンドルの根元部を挿通させるために筐体に形成した孔からハンドルに形成された係合凹部が見えるため、外観品質の悪化を招いたり、係合凹部に異物が混入する虞がある。また、特許文献３及び特許文献４に示されたハンドル構造にあっては、部品点数が多くコストアップを招来する。
【０００５】
本発明は、上記課題を解決するためになされたものであり、簡素かつ安価な構成でありながらも、ハンドルを所定の角度でロックすると共に、ハンドルを回動させる際に発生する不快な打撃音を抑制し、かつ操作性を高めることができるポータブルフォトプリンタ及びポータブル電子機器に用いられるハンドルロック構造を提供することを目的とする。
【課題を解決するための手段】
【０００６】
上記目的を達成するために請求項１の発明は、装填された記録紙を保持する給紙トレイと、この給紙トレイに保持された記録紙を装置内部に搬送する第１搬送手段と、この第１搬送手段によって搬送された記録紙に画像を形成する画像形成手段と、この画像形成手段によって画像が形成された記録紙を装置外部に搬送する第２搬送手段と、上記各部を支持すると共に外装する筐体と、この筐体に対して回動自在に結合されたハンドルを備え、画像形成手段は、インクが充填されたインクカートリッジと、このインクカートリッジが装着され、記録紙の搬送方向に対して直交する方向に往復移動するキャリアと、このキャリアを駆動するキャリア駆動手段とを有し、ハンドルを把持することにより、持ち運び可能なポータブルフォトプリンタにおいて、ハンドルは、該ハンドルの根元部に配設されたハンドル結合部材を介して筐体に結合され、ハンドル結合部材は、ハンドルを回動自在に軸支する支持軸と、ねじを介して筐体に結合される筐体結合部と、支持軸の周辺においてハンドルを起しきる直前に該ハンドルと当接し、支持軸の径方向に弾性変形されながら該ハンドルの回動を規制する第１回動規制部と、支持軸の周辺においてハンドルを倒しきる直前に該ハンドルと当接し、支持軸の径方向に弾性変形されながら該ハンドルの回動を規制する第２回動規制部と、第１回動規制部と第２回動規制部との間に形成された係合溝とを有し、ハンドルは、ハンドル結合部材の支持軸が挿通される挿通孔が形成されている根元部と、この根元部の外周縁に設けられ、該ハンドルを起しきる直前に第１回動規制部と当接され、該ハンドルを完全に起した状態で係合溝と係合される第１係合凸部と、この根元部の外周縁に設けられ、該ハンドルを倒しきる直前に第２回動規制部と当接され、該ハンドルを完全に倒した状態で係合溝と係合される第２係合凸部とを有し、係合溝と第１係合凸部との係合により、持ち運びの際にハンドルを完全に起した状態でロックすると共に、係合溝と第２係合凸部との係合により、ハンドルを筐体に収納した状態でロックするものである。
【０００７】
請求項２の発明は、持ち運び可能なポータブル電子機器のハンドルを所定の角度でロックするハンドルロック構造において、ハンドルは、その根元部に配設されたハンドル結合部材を介してポータブル電子機器の筐体に結合され、ハンドル結合部材は、ハンドルを回動自在に軸支する支持軸と、支持軸の周辺において該ハンドルと当接し、弾性変形されながら該ハンドルの回動を規制する回動規制部と、この回動規制部に形成された係合溝とを有し、ハンドルは、ハンドル結合部材の係合溝と係合する係合凸部を有するものである。
【０００８】
請求項３の発明は、請求項２に記載のハンドルロック構造において、ハンドルは、該ハンドルを完全に起した状態で係合溝と係合される第１係合凸部と、該ハンドルを完全に倒した状態で係合溝と係合される第２係合凸部とを有しているものである。
【発明の効果】
【０００９】
請求項１の発明によれば、ハンドルを起しきる直前に、第１回動規制部が、ハンドルの第１係合凸部と当接し、弾性変形されながらハンドルの回動を規制するクッションとして機能するので、ハンドルの回転速度が低減される。これにより、ハンドルを完全に起すときの不快な打撃音を抑制し、かつ操作性を高めることができる。また、ハンドルを倒しきる直前に、第２回動規制部が、ハンドルの第２係合凸部と当接し、弾性変形されながらハンドルの回動を規制するので、ハンドルを完全に倒すときの不快な打撃音を抑制し、かつ操作性を高めることができる。また、第１回動規制部と第２回動規制部との間には、係合溝が形成されているので、該係合溝と第１係合凸部及び第２係合凸部との係合により、簡素かつ安価な構成でありながらも、ハンドルを完全に起した状態（引き出した状態）及び倒した状態（収容した状態）でロックすることができる。また、ハンドルの挿通孔にハンドル結合部材の支持軸を挿通させた状態で、ハンドル結合部材をねじを介して筐体に結合させることができるので、ハンドル周辺部の組み立てを容易に行うことができる。
【００１０】
請求項２の発明によれば、回動規制部が、ハンドルと当接し、弾性変形されながらハンドルの回動を規制するクッションとして機能するので、ハンドルの回転速度が低減される。これにより、ハンドルを回動させるときの不快な打撃音を抑制し、かつ操作性を高めることができる。また、ハンドルは、回動規制部に形成された係合溝と係合する係合凸部を有しているので、簡素かつ安価な構成でありながらも、ハンドルを所定の角度でロックすることができる。
【００１１】
請求項３の発明によれば、ハンドルは、ハンドルを完全に起した状態で係合溝と係合される第１係合凸部と、ハンドルを完全に倒した状態で係合溝と係合される第２係合凸部とを有しているので、簡素かつ安価な構成でありながらも、ハンドルを引き出した状態及び収容した状態でロックすることができる。
【発明を実施するための最良の形態】
【００１２】
本発明を実施するための最良の実施形態による画像形成装置の一例であるポータブルフォトプリンタについて図面を参照して説明する。図１はポータブルフォトプリンタの概略構成を示している。ポータブルフォトプリンタ１は、装填された記録紙Ｐを保持する給紙トレイ２と、給紙トレイ２に保持された記録紙Ｐを搬送する搬送機構３と、搬送機構３によって搬送された記録紙Ｐに画像を形成する画像形成部（画像形成手段）４と、画像形成部４によって画像が形成された記録紙Ｐが堆積される排紙トレイ５と、搬送機構３及び画像形成部４を収容する筐体６と、搬送機構３及び画像形成部４の制御を司る制御部９等によって構成されている。
【００１３】
搬送機構３は、給紙トレイ２に保持された記録紙Ｐを画像形成部４による画像形成位置まで搬送する第１搬送機構（第１搬送手段）３ａと、画像形成部４によって画像が形成された記録紙を排紙トレイ５に搬送する第２搬送機構（第２搬送手段）３ｂと、第１搬送機構３ａ及び第２搬送機構３ｂを駆動するためのフィードモータ（ローラ駆動手段）３０等によって構成される。
【００１４】
画像形成部４は、インクが充填されたインクカートリッジ４０と、インクカートリッジ４０を支持しながら、記録紙Ｐの搬送方向Ａ（副走査方向）に直交する主走査方向Ｂ（図３参照）に往復移動するキャリア４１と、キャリア４１を駆動するキャリア駆動モータ（キャリア駆動手段）４２等によって構成されている。インクカートリッジ４０の下面には、記録紙Ｐにインクを吐出するプリントヘッド４３が設けられている。キャリア４１は、主走査方向に平行に配設されたシャフト４４によって往復移動自在に支持され、キャリア駆動モータ４２に駆動されて移動する。キャリア駆動モータ４２の出力は、ベルト等を介してキャリア４１に伝達される。制御部９の制御の下、フィードモータ３０及びキャリア駆動モータ４２の駆動に同期させてプリントヘッド４３からインクを吐出することにより、記録紙Ｐに画像が形成される。
【００１５】
第１搬送機構３ａは、給紙トレイ２に載置された記録紙Ｐを装置本体の内部に送出するピックローラ３１と、プリントヘッド４３の上流側に設けられ、ピックローラ３１によって送出された記録紙Ｐをプリントヘッド４３の側に送出する給紙ローラ３２と、記録紙Ｐを給紙ローラ３２に押圧する押圧ローラ３３等によって構成されている。また、第２搬送機構３ｂは、画像が形成された記録紙Ｐを排紙トレイ５に搬送する排紙ローラ３８と、記録紙Ｐを排紙ローラ３８に押圧するスターホイール３９等によって構成されている。
【００１６】
筐体６の上面には、ポータブルフォトプリンタ１を持ち運ぶ際に把持される手提げ用のハンドル５１が筐体に対して回動自在に設けられている。ハンドル５１は、使用する際には、筐体６の上面に対して略垂直の角度まで引き出し可能であり、また、使用しないときには、筐体６に設けられた凹部に収容可能とされており、それぞれの状態で、ハンドルロック構造５０によってロックされる。
【００１７】
図２及び図３は、ハンドルロック構造５０を示している。ハンドル５１は、その根元部５１ｂに配設されたハンドル結合部材５２を介して筐体６に結合されている。ハンドル結合部材５２は、ハンドル５１を回動自在に軸支する支持軸５２ａと、ねじ５３を介して筐体６に結合される筐体結合部５２ｂと、支持軸５２ａの周辺において、径方向に弾性変形されながらハンドル５１の回動を規制する第１回動規制部５２ｃ及び第２回動規制部５２ｄと、係合溝５２ｅとを有している。第１回動規制部５２ｃと第２回動規制部５２ｄとは、係合溝５２ｅによって分断され、独立して弾性変形可能とされている。すなわち、第１回動規制部５２ｃは、ハンドル５１の引き出し時において、ハンドル５１を起しきる直前にハンドル５１の第１係合凸部５１ｃと当接し、摩擦力によりハンドル５１の回動を規制する。第１回動規制部５２ｃの第１係合凸部５１ｃとの当接面は、ハンドル５１を起こす際、摩擦力が漸増するように斜面状に形成されている。同様に、第２回動規制部５２ｄは、ハンドル５１の収容時において、ハンドル５１を倒しきる直前にハンドル５１の第２係合凸部５１ｄと当接し、摩擦力によりハンドル５１の回動を規制する。第２回動規制部５２ｄの第２係合凸部５１ｄとの当接面も、ハンドル５１を起こす際、摩擦力が漸増するように斜面状に形成されている。
【００１８】
ハンドル５１は、ハンドル結合部材５２の支持軸５２ａが挿通される挿通孔５１ａが形成されている根元部５１ｂと、この根元部５１ｂの外周縁に設けられた第１係合凸部５１ｃ及び第２係合凸部５１ｄとを有している。第１係合凸部５１ｃは、ハンドル５１を起しきる直前に第１回動規制部５２ｃと当接され、ハンドル５１を完全に起した状態で係合溝５２ｅと係合される。第２係合凸部５１ｄは、ハンドル５１を倒しきる直前に第２回動規制部５２ｄと当接され、ハンドル５１を完全に倒した状態で係合溝５２ｅと係合される。なお、このハンドルロック構造５０の組み立ては、ハンドル５１の挿通孔５１ａにハンドル結合部材５２の支持軸５２ａを挿通させた状態で、ハンドル結合部材５２をねじ５３を介して筐体６に結合させることによりなされる。
【００１９】
図４は、ハンドル５１を引き出した状態から、収容するまでのハンドルロック構造５０の状態の推移を示している。図４（ａ）において、ハンドル５１を完全に起した状態では、第１係合凸部５１ｃは、係合溝５２ｅと係合され、ハンドル５１はロックされ、自重で倒れることはない。この状態からハンドル５１を矢印Ｘ方向に回動させると、図４（ｂ）に示すように、第１係合凸部５１ｃと係合溝５２ｅとの係合は解除され、図４（ｃ）に示すフリーの状態となる。さらに、ハンドル５１を矢印Ｘ方向に回動させると、ハンドル５１を倒しきる直前に、図４（ｄ）に示すように、第２係合凸部５１ｄと第２回動規制部５２ｄとが当接され、ハンドル５１の回動が規制される。その後さらに、ハンドル５１を矢印Ｘ方向に回動させると、図４（ｅ）に示すように、第２係合凸部５１ｄと係合溝５２ｅとが係合され、ハンドル５１はロックされる。この状態からハンドル５１を矢印Ｙ方向に引き上げると、上記図４（ｄ）、（ｃ）、（ｂ）の状態を経て（ａ）の状態に至る。このとき、図４（ｂ）の状態において、第１係合凸部５１ｃと第１回動規制部５２ｃとが当接され、ハンドル５１の回動が規制される。
【００２０】
以上のように、本実施形態のポータブルフォトプリンタ１によれば、ハンドル５１を起しきる直前に、第１回動規制部５２ｃが、ハンドル５１の第１係合凸部５１ｃと当接し、弾性変形されながらハンドル５１の回動を規制するクッションとして機能するので、ハンドル５１の回転速度が低減される。これにより、ハンドル５１を起しきるときの不快な打撃音を抑制し、かつ操作性を高めることができる。同様に、ハンドル５１を倒しきる直前に、第２回動規制部５２ｄが、ハンドル５１の第２係合凸部５１ｄと当接し、弾性変形されながらハンドル５１の回動を規制するので、ハンドル５１を倒しきるときの不快な打撃音を抑制し、かつ操作性を高めることができる。また、第１回動規制部５２ｃと第２回動規制部５２ｄとの間には、係合溝５２ｅが形成されているので、係合溝５２ｅと第１係合凸部５１ｃ及び第２係合凸部５１ｄとの係合により、簡素かつ安価な構成でありながらも、ハンドル５１を引き出した状態及び収容した状態でロックすることができる。また、ハンドル５１の挿通孔５１ａにハンドル結合部材５２の支持軸５２ａを挿通させた状態で、ハンドル結合部材５２をねじ５３を介して筐体６に結合させることができるので、ハンドルロック構造５０の組み立てを容易に行うことができる。
【００２１】
なお、本発明は上記実施形態の構成に限られることなく、少なくとも、ハンドル５１が起しきる直前及び倒しきる直前に、ハンドル結合部材５２の一部がハンドル５１の一部と当接し、ハンドル５１の回動を規制するように構成されていればよい。また、本発明は、ポータブルフォトプリンタに限られることなく、ポータブル電子機器全般に広く適用することができる。
【図面の簡単な説明】
【００２２】
【図１】本発明の一実施形態による画像形成装置の一例であるポータブルフォトプリンタの構成を示す図。
【図２】同プリンタのハンドルロック構造を示す断面図。
【図３】同プリンタのハンドルロック構造を示す組み立て斜視図。
【図４】ハンドルを起しきった状態から、倒しきるまでのハンドルロック構造の状態の推移を示す側面図。
【符号の説明】
【００２３】
１    インクジェットプリンタ
２    給紙トレイ
３    搬送機構
３ａ    第１搬送機構（第１搬送手段）
３ｂ    第２搬送機構（第２搬送手段）
４    画像形成部（画像形成手段）
５    排紙トレイ
３１    ピックローラ
３２    給紙ローラ
５０    ハンドルロック構造
５１    ハンドル
５１ｃ    第１係合凸部
５１ｄ    第２係合凸部
５２    ハンドル結合部材
５２ｃ    第１回動規制部
５２ｄ    第２回動規制部
５２ｅ    係合溝
【図１】
2007313685.tif 000003
【図２】
2007313685.tif 000004
【図３】
2007313685.tif 000005
【図４】
2007313685.tif 000006